(57)【要約】【課題】搬送時に生じる思わぬ事故を防止する仮設工事用サポートを提供する。【解決手段】仮設工事用サポートのベースプレート１の中央に水抜き孔１Ａを形成する。該ベースプレート１を備えた大径の下管２を設ける。この下管２の内部にスライド自在に収納する小径の上管３を設ける。下管２の内部に上管３の下端部を係止する保護突起４を設ける。下管２内部の上管３の下端部が下管２の下端部に重ならないように構成する。下管２の下端部内側に挿入した手指に上管３の下端部が接触しないように構成する。【選択図】  図４
0003197161.tif 000002
【実用新案登録請求の範囲】
【請求項１】
中央に水抜き孔が形成されたベースプレートを備えた大径の下管と、この下管の内部にスライド自在に収納する小径の上管とを備えた仮設工事用サポートにおいて、下管の内部に上管の下端部を係止する保護突起を設けて下管内部の上管の下端部が下管の下端部に重ならないように構成し、サポート端部を持つ際に下管の下端部内側に挿入した手指に上管の下端部が接触しないように構成したことを特徴とする仮設工事用サポート。
【請求項２】
前記保護突起は、ブロック形状を成し、前記下管の対向する内側面相互に一対設けられた請求項１記載の仮設工事用サポート。
【請求項３】
前記保護突起は、角筒状を成した金属材で形成され、前記下管の内側面と前記ベースプレートの上面とに溶接され、前記ベースプレートの水抜き孔から目視される位置に設けた請求項１又は２記載の仮設工事用サポート。
【考案の詳細な説明】
【技術分野】
【０００１】
本考案は、建築現場の仮設工事において、コンクリート型枠などを支持するために使用される仮設工事用サポートに関するものである。
【背景技術】
【０００２】
仮設工事において、コンクリート型枠などを支持する仮設工事用サポートは、ベースプレートを下端に備えた大径の下管と、この下管の内部にスライド自在に収納する小径の上管とから成り、上管の上端に受け板を設けた構成を成している。更に、上管には水平方向に貫通するピン孔が長手方向に沿って複数個開穿されると共に、下管の上端に固定環体が固定され、この固定環体を貫通するピンを固定環体内部の上管ピン孔に挿通することで、上管の高さを調整するものである。
【０００３】
この種の仮設工事用サポートは、例えば特許文献１のように、上管の高さを調整するピンをサポートの定位置に保持させるように構成したものなどが提案されている。
【先行技術文献】
【特許文献】
【０００４】
【特許文献１】特開平１１-１０７５４６号公報
【考案の概要】
【考案が解決しようとする課題】
【０００５】
仮設工事用サポートを搬送する場合、大径の下管に小径の上管を収納した状態でサポートの長手両端部を二人の作業員が持ち上げて移動することが多い。この場合、大径の下管を持つ作業者は、ベースプレートの中央に開穿されている水抜き孔から下管の内部に手指をかけて保持することになる。この際、下管の内部には上管が収納されているので、搬送時にスライド移動した上管が作業者の手指に接触して手指を潰す事故が発生することがあった。
【０００６】
一方、従来の仮設工事用サポートでは、搬送時の事故まで想定されていないのが現状である。そこで、本考案は、上述の課題を解消すべく案出されたもので、搬送時に生じる思わぬ事故を防止することが可能な仮設工事用サポートの提供を目的とするものである。
【課題を解決するための手段】
【０００７】
上述の目的を達成すべく本考案における第１の手段は、中央に水抜き孔１Ａが形成されたベースプレート１を備えた大径の下管２と、この下管２の内部にスライド自在に収納する小径の上管３とを備えた仮設工事用サポートにおいて、下管２の内部に上管３の下端部を係止する保護突起４を設けて下管２内部の上管３の下端部が下管２の下端部に重ならないように構成し、サポートを水平に持って移動する際に下管２の下端部内側に挿入した手指に上管３の下端部が接触しないように構成したことにある。
【０００８】
第２の手段において、前記保護突起４は、ブロック形状を成し、前記下管２の対向する内側面相互に一対設けられたものである。
【０００９】
第３の手段の前記保護突起４は、角筒状を成した金属材で形成され、前記下管２の内側面と前記ベースプレート１の上面とに溶接され、前記ベースプレート１の水抜き孔１Ａから目視される位置に設けたことにある。
【考案の効果】
【００１０】
請求項１のごとく、下管２の内部に上管３の下端部を係止する保護突起４を設けて下管２内部の上管３の下端部が下管２の下端部に重ならないように構成し、サポートを持つ際に下管２の下端部内側に挿入した手指に上管３の下端部が接触しないように構成したことにより、作業中に下管２内部で指が潰されてしまうなどといった搬送時等に生じる事故を防止することができる。
【００１１】
請求項２のように、保護突起４は、ブロック形状を成し、下管２の対向する内側面相互に一対設けられたことにより、下管２内の上管３の移動を確実に防止し、上管３の収まりも良好になる。
【００１２】
請求項３のごとく、保護突起４は、角筒状を成した金属材で形成され、下管２の内側面とベースプレート１の上面とに溶接されているので、強固な保護突起４を軽量化して確実に固定することができる。しかも、ベースプレート１の水抜き孔１Ａから目視される位置に設けたことにより、作業者は保護突起４の確認ができ、安心して搬送作業をすることができる。
【００１３】
このように本考案によると、搬送時に生じる事故を防止することが可能になるといった当初の目的を達成することができる。
【図面の簡単な説明】
【００１４】
【図１】本考案の一実施例を示す正面図である。
【図２】本考案のベースプレートを示す底面図である。
【図３】本考案の下管を示す平面図である。
【図４】本考案の使用例を示す要部断面図である。
【考案を実施するための形態】
【００１５】
以下、本考案の実施例を説明する。本考案の仮設工事用サポートは、ベースプレート１を下端に備えた大径の下管２と、この下管２の内部にスライド自在に収納する小径の上管３とを備えたサポートである（図１参照）。このベースプレート１には、中央に水抜き孔１Ａが形成されている（図２参照）。
【００１６】
図示のサポートは、上管３の上端に受け板７を設けている（図１参照）。更に、上管３には水平方向に貫通するピン孔３Ａが長手方向に沿って適数個開穿されている。一方、下管２の上端に固定環体５が固定され、この固定環体５を貫通する係止ピン６を固定環体５内部の上管ピン孔３に挿通することで、上管３の高さを調整するものである。
【００１７】
サポートの構成は、図示例に限定されるものではなく、水抜き孔１Ａを有するベースプレート１を下端に備えた大径の下管２と、この下管２の内部にスライド自在に収納する小径の上管３とを備えたサポートであれば他の構成は任意に変更することができる。
【００１８】
下管２下端のベースプレート１に近接する内側壁に保護突起４を設ける。この保護突起４は、サポートを水平に持って移動する際に上管３の下端部側が係止する部材である。上管３が保護突起４に係止した状態では、サポートの搬送中に作業者が水抜き孔１Ａから下管２内部に手指を挿入しても、上管３の端部が手指に接触しない状態になる（図４参照）。
【００１９】
図示の保護突起４は、金属材で形成された角筒状のブロック材で、下管２の対向する内側面相互に一対溶接されている。このとき、保護突起４を下管２の内側面とベースプレート１の上面とに溶接し、ベースプレート１の水抜き孔１Ａから目視される位置に設けている（図１参照）。
【００２０】
このように、本考案は下管２を横向きにしてサポートを搬送する際に、作業者が下管２内部に手指を安全に挿入できるように構成したものである。尚、本考案の保護突起４の構成は、図示例に限定されるものではなく、保護突起４の材質、形状、数や設置位置等は手指が触れなくなる構成であれば設計変更は自由に行える。
【符号の説明】
【００２１】
１  ベースプレート
１Ａ  水抜き孔
１Ｂ  固定孔
２  下管
３  上管
３Ａ  ピン孔
４  保護突起
５  固定環体
６  係止ピン
７  受け板
【図１】
0003197161.tif 000003
【図２】
0003197161.tif 000004
【図３】
0003197161.tif 000005
【図４】
0003197161.tif 000006